(57)【特許請求の範囲】
【請求項１】
第１フォロアピンを外周部に有し、第１レンズを装備すると共に光軸方向に移動可能な第１レンズユニットと、
前記第１フォロアピンに係合して前記第１フォロアピンを追従させる第１カム溝を内周部に有し、前記第１フォロアピンと前記第１カム溝を介して前記第１レンズユニットが係合される第１円筒部材と、
前記第１円筒部材の内周側に配置され、前記第１レンズユニットが光軸方向に移動する際の回転を規制する直進規制部材と、
前記第１円筒部材の外周側に配置され、回転に伴い前記第１円筒部材を光軸方向に移動させるための第２円筒部材と、
前記第２円筒部材に結合され前記第２円筒部材と共に光軸方向に移動可能であり、前記第２円筒部材との結合部から光軸直交方向に伸びた円環状の固定部材と、を備えたレンズ鏡筒であって、
前記第１レンズユニットが前記第１円筒部材から突出した撮影状態において、外部から前記レンズ鏡筒に衝撃が加わらない場合、前記第１レンズユニットの撮像素子側に配置され前記撮像素子側に突出したレンズ被保持部が前記円環状の固定部材の内径側に配置されたレンズ保持部から離間し、外部から前記レンズ鏡筒に衝撃が加わった場合、前記レンズ被保持部が前記レンズ保持部に保持されることを特徴とするレンズ鏡筒。
【請求項２】
前記第１円筒部材の外周側に配置され、前記第１円筒部材の外周部に配置された第２カム溝に係合する第２フォロアピンを内周部に有し、第２レンズを装備すると共に光軸方向に移動可能な第２レンズユニットと、
前記第２レンズユニットの外周側で且つ前記第２円筒部材の内周側に配置され、前記第１円筒部材に結合されると共に前記第２円筒部材の回転に伴い光軸方向に移動する第３円筒部材と、を備え、
前記固定部材は、前記直進規制部材と前記第３円筒部材が光軸方向に移動する際の回転を規制することを特徴する請求項１に記載のレンズ鏡筒。
【請求項３】
前記レンズ被保持部が前記レンズ鏡筒の周方向に１２０度間隔で配置されると共に、前記レンズ保持部が前記レンズ鏡筒の周方向に１２０度間隔で配置されていることを特徴とする請求項１又は２に記載のレンズ鏡筒。
【請求項４】
請求項１乃至３の何れか１項に記載のレンズ鏡筒を備えることを特徴とする撮像装置。
【発明の詳細な説明】
【技術分野】
【０００１】
本発明は、フィルムカメラやデジタルカメラ等に適用可能なレンズ鏡筒及び撮像装置に関する。
【背景技術】
【０００２】
従来から銀塩フィルムを用いて撮影を行うフィルムカメラは広く普及しているが、近年、フィルムを使用せずに撮影した画像をメモリに記録することができるデジタルカメラが急速に普及している。デジタルカメラには、複数の光学レンズを光軸方向に移動させ撮影倍率を変更するズーム機構を備えた撮影レンズ鏡筒を装備した機種がある。
【０００３】
上記のズーム機構を備えたレンズ鏡筒（ズームレンズ鏡筒）に関しては各種技術が提案されている（例えば、特許文献１参照）。特許文献１のレンズ鏡筒では、複数の光学レンズを各々保持する複数のレンズ保持部をカムリングを介して光軸方向に移動させると共に、回転規制手段によりレンズ保持部の回転方向への移動を規制している。この構成により、光学レンズを指定の位置に移動させることができる。
【０００４】
他方、近年ではデジタルカメラの高倍率化が急速に進展しており、それに伴ってレンズ群の増加やレンズ鏡筒の繰り出し全長が長くなる結果、デジタルカメラが大型化する傾向にある。そのため、デジタルカメラの薄型化に対する要求も強くあり、カメラ本体へのレンズ鏡筒の収納時の大きさを極力薄くすることが求められている。
【０００５】
デジタルカメラの薄型化のためにはレンズ鏡筒を構成する各鏡筒部材の光軸方向の寸法を短くし、多段構成により各鏡筒部材をつなげていくことが考えられる。しかし、複数のカムを交差することなく各鏡筒部材を配置するには多くの制約があり困難である。
【０００６】
上記のような課題を解決するための各種の方法が提案されている（例えば、特許文献２参照）。特許文献２のズームレンズ鏡筒は、光軸方向に移動する第１、第２、第３のレンズ群と、固定筒と、固定筒に対して光軸方向に進退する中間筒ユニットとを備える。更に、中間筒ユニットに対して光軸方向に進退し第１のレンズ群を保持する前進筒と、中間筒ユニットに対して光軸方向に進退し第２のレンズ群を保持する移動筒とを備える。
【０００７】
中間筒ユニットは、光軸中心に回転し外面と内面にそれぞれ第１及び第２のカムが形成された回転筒と、光軸方向に直進し回転筒の外側に配置された第１の直進筒と、光軸方向に直進し回転筒の内側に配置された第２の直進筒とから構成される。中間筒ユニットは、回転筒が回転するとき軸方向に移動する。
【０００８】
前進筒は、回転筒の第１のカムに係合する第１のカムフォロアを有すると共に、第１の直進筒により回転が規制されて軸方向に案内される。移動筒は、回転筒の第２のカムに係合する第２のカムフォロアを有すると共に、第２の直進筒により回転が規制されて軸方向に案内される。また、第３のレンズ群がカム筒に対して後方へ飛び出した構造となっている。
【特許文献１】特開２００１−３２４６６３号公報
【特許文献２】特登録３８４２０８７号
【発明の開示】
【発明が解決しようとする課題】
【０００９】
上記の特許文献２に開示されているレンズ鏡筒は、第３のレンズ群がカム筒に対して後方へ飛び出した構造となっている。そのため、例えばレンズ鏡筒に対して落下等の衝撃により強いショックが加わった場合、各部品のたわみが生じたりすることで第３のレンズ群がカム筒のカム溝から外れてしまうおそれがある。
【００１０】
従って、レンズ群の脱落を防止するために、カム溝とそれに係合するカムフォロアとの噛み合いの深さを深くする必要がある。この場合、カム筒の肉厚をその分厚くする必要が出てくる。しかしながら、近年はカメラの小型化が進展しており、市場の要求も小型カメラに集中している。そのため、カメラを大型化することなく、落下等の衝撃に対して強いレンズ鏡筒の実現が要望されている。
【００１１】
本発明の目的は、落下等の衝撃に対して損傷や破壊を防止することを可能としたレンズ鏡筒及び撮像装置を提供することにある。
【課題を解決するための手段】
【００１２】
上述の目的を達成するために、本発明は、第１フォロアピンを外周部に有し、第１レンズを装備すると共に光軸方向に移動可能な第１レンズユニットと、前記第１フォロアピンに係合して前記第１フォロアピンを追従させる第１カム溝を内周部に有し、前記第１フォロアピンと前記第１カム溝を介して前記第１レンズユニットが係合される第１円筒部材と、前記第１円筒部材の内周側に配置され、前記第１レンズユニットが光軸方向に移動する際の回転を規制する直進規制部材と、前記第１円筒部材の外周側に配置され、回転に伴い前記第１円筒部材を光軸方向に移動させるための第２円筒部材と、前記第２円筒部材に結合され前記第２円筒部材と共に光軸方向に移動可能であり、前記第２円筒部材との結合部から光軸直交方向に伸びた円環状の固定部材と、を備えたレンズ鏡筒であって、前記第１レンズユニットが前記第１円筒部材から突出した撮影状態において、外部から前記レンズ鏡筒に衝撃が加わらない場合、前記第１レンズユニットの撮像素子側に配置され前記撮像素子側に突出したレンズ被保持部が前記円環状の固定部材の内径側に配置されたレンズ保持部から離間し、外部から前記レンズ鏡筒に衝撃が加わった場合、前記レンズ被保持部が前記レンズ保持部に保持されることを特徴とする。
【発明の効果】
【００１３】
本発明によれば、第１レンズユニットが第１円筒部材から突出した撮影状態において、外部からレンズ鏡筒に衝撃が加わらない場合、第１レンズユニットの撮像素子側に配置され撮像素子側に突出したレンズ被保持部が前記円環状の固定部材の内径側に配置されたレンズ保持部から離間し、外部から前記レンズ鏡筒に衝撃が加わった場合、前記レンズ被保持部が前記レンズ保持部に保持される。これにより、レンズ鏡筒に外部から衝撃が加わった場合などに、レンズユニットのフォロアピン（以下、「フォロア」という。）が円筒部材のカム溝から脱落することを防止できるため、レンズ鏡筒の損傷や破壊を防止することができる。
【発明を実施するための最良の形態】
【００１４】
以下、本発明の実施の形態を図面に基づいて説明する。
【００１５】
図６は、本発明の実施の形態に係る撮影装置の電源をＯＦＦにした状態を示す斜視図である。図７は、撮影装置の電源をＯＮにした状態を示す斜視図である。図８は、撮影装置の上面図である。図９は、撮影装置の背面図である。図１０は、撮影装置の底面図である。
【００１６】
図６〜図１０において、本実施の形態の撮像装置は、撮影倍率を変更できるズーム機構を有するデジタルカメラとして構成されている。撮像装置の筐体１２の正面側には、被写体の構図を決めるファインダ１７、測光と測距を行う場合の光源の補助を行う補助光源１６、ストロボ１８、撮影レンズ鏡筒（以下、レンズ鏡筒）を構成するレンズユニット１が配置されている。筐体１２の上面側には、レリーズボタン１３、ズーム切換スイッチ１４、電源切換ボタン１５が配置されている。筐体１２の底面側には、三脚取付部２７、メモリカードドライブ４２（図１１参照）及びバッテリ挿入部（不図示）を覆うカードバッテリカバー２８が配置されている。
【００１７】
筐体１２の背面側には、ファインダ接眼部１９、ＬＣＤから構成されるディスプレイ２０、操作ボタン２１、２２、２３、２４、２５、２６が配置されている。操作ボタン２１〜２６は、様々な機能の切換えを行うためのものであり、撮像装置の動作モード（撮影モード、再生モード、動画撮影モード等）を選択する際に操作する。ディスプレイ２０には、メモリ４０（図１１参照）に保存された画像データやメモリカードから読み込んだ画像データに対応する画像が表示される。また、ディスプレイ２０には、動作モードを選択した際に複数の撮影データに対応する画像を縮小して表示することもできる。
【００１８】
図１１は、撮影装置の要部の構成を示すブロック図である。
【００１９】
図１１において、撮像装置は、図６〜図１０に示した撮影レンズ鏡筒、操作ボタン２１〜２６、ディスプレイ２０等の他に、フォーカス機構３０、シャッタ３３、絞り３４、撮像素子３７、ＣＰＵ４６、ＲＯＭ４５、ＲＡＭ４７等を備えている。更に、撮像装置は、測光部と測距部（不図示）を備えている。撮像装置の制御系は、ＣＰＵ４６、ＲＯＭ４５、ＲＡＭ４７から構成され、バス４４を介してレリーズボタン１３、操作ボタン２１〜２６、ディスプレイ２０、メモリ４０、メモリカードドライブ４２、駆動回路４３等が接続されている。
【００２０】
駆動回路４３は、ズームモータ駆動部２９、フォーカスモータ駆動部３１、シャッタ駆動部３２、絞り駆動部３５、撮像素子３７、ストロボ１８が接続されており、制御系から出力される信号に基づきこれら各部を制御する。撮像素子３７は、ＣＣＤ型或いはＣＭＯＳ型など任意である。ＲＯＭ４５には、図１１の各構成要素を制御するための複数の制御プログラムが記憶されている。ＲＡＭ４７には、各制御プログラムの実行に必要なデータが記憶されている。ＣＰＵ４６は、制御プログラムに基づき図１２のフローチャートに示す処理を実行する。
【００２１】
使用者が撮像装置の電源切換ボタン１５を操作することで電源をＯＦＦからＯＮにすると、ＣＰＵ４６は、ＲＯＭ４５から必要な制御プログラムを読み出して初期動作を開始する。即ち、レンズ鏡筒を所定の撮影可能領域に移動させ、撮影機能を立ち上げることで撮影スタンバイ状態とする。
【００２２】
使用者が撮影を行うためにレリーズボタン１３を押すと、ＣＰＵ４６は、撮像素子３７により被写体の明るさを検知し、測光部により測定した測光値に基づき、絞り値、シャッタスピード、ストロボ１８を発光するかどうかを判断する。また、使用者がストロボ１８を強制的に発光させるか発光させないかを、予め操作ボタン２１の操作により選択することもできる。次に、ＣＰＵ４６は、測距部により測距を行い、撮像装置と被写体との間の距離を測定してフォーカスモータ駆動部３１を駆動することにより、所定のフォーカス位置へフォーカス機構３０を移動させる。
【００２３】
次に、ＣＰＵ４６は、シャッタ３３の開閉を行い、撮影に伴い入射した光を撮像素子３７に取り込む。撮像素子３７には、露光制御値に基づいて入射した光の光量に応じた電荷が蓄積され、その電荷が画像信号としてアナログ信号処理部３６へ出力される。アナログ信号処理部３６は、画像信号にアナログ処理を施し、Ａ／Ｄ変換部３８に出力する。Ａ／Ｄ変換部３８は、アナログデータをデジタルデータに変換しデジタル信号処理部３９に出力する。デジタル信号処理部３９は、デジタルデータの処理を行う。最終的にデジタルデータはメモリ４０に画像データとして記憶される。
【００２４】
使用者が操作ボタン２２を操作すると、ＣＰＵ４６は、メモリ４０に記憶されている画像データに圧縮伸張部４１によりＪＰＥＧ方式やＴＩＦＦ方式等の圧縮加工等を施し、メモリカードドライブ４２によりメモリカードに記憶する。尚、撮像装置がメモリ４０を装備しない場合は、デジタル信号処理部３９で処理された画像データに圧縮加工等を施し、メモリカードに記憶する。
【００２５】
また、メモリ４０に記憶された画像データやメモリカードドライブ４２によりメモリカードに記憶されている画像データを圧縮伸張部４１により伸張処理し、バス４４を介してディスプレイ２０に画像を表示させることができる。使用者はディスプレイ２０に表示された画像が不必要であると判断した場合、操作ボタン２３の操作により画像を消去することができる。
【００２６】
また、使用者がズーム切換スイッチ１４を操作すると、ＣＰＵ４６は、駆動回路４３を介してズームモータ駆動部２９によりズームモータ（鏡筒駆動モータ）を駆動しレンズ鏡筒をレンズの光軸方向に移動させる。また、ズーム切換スイッチ１４の操作により、ディスプレイ２０に表示されている画像の拡大及び縮小（デジタルズーム）を行うことができる。
【００２７】
次に、撮像装置に装備されたレンズ鏡筒の詳細構成について説明する。
【００２８】
図１は、レンズ鏡筒の広角側撮影状態を示す断面図である。図２は、レンズ鏡筒の非使用状態（収納状態）を示す断面図である。図３は、レンズ鏡筒の遠側撮影状態を示す断面図である。図４は、レンズ鏡筒の構成を示す分解斜視図である。図５は、レンズ鏡筒を構成するレンズユニットと固定部材の構成を示す斜視図である。
【００２９】
図１〜図５において、レンズ鏡筒は、光軸方向に伸縮可能であり、レンズユニット１、レンズユニット２、レンズユニット３、円筒部材４、第３円筒部材５、第２円筒部材６、直進規制部材７、固定部材８、駆動環９、固定環１０等を備えている。
【００３０】
レンズユニット１〜３は、それぞれ光学レンズを有する筒状の部材であり、光軸方向に移動可能に構成されている。レンズユニット１（第２レンズユニット）は、周方向に６０度間隔で形成された６個のピン形状のフォロア１ａを備えており、円筒部材４の外周側に配置されている。レンズユニット２は、周方向に１２０度間隔で一体に形成された３個のピン形状のフォロア２ａを備えている。レンズユニット３（レンズユニット）は、レンズ被保持部３ａとフォロア３ｂを備えており、円筒部材４の内周側に配置されている。
【００３１】
円筒部材４は、カム溝４ａ、カム溝４ｂ、カム溝４ｃを備えている。円筒部材４の外周部には、レンズユニット１のフォロア１ａに係合してフォロア１ａを追従させるカム溝４ｃが形成されている。円筒部材４の内周部には、レンズユニット２のフォロア２ａに係合してフォロア２ａを追従させるカム溝４ａと、レンズユニット３のフォロア３ｂに係合してフォロア３ｂを追従させるカム溝４ｂが形成されている。カム溝４ａ、カム溝４ｂ、カム溝４ｃは、それぞれ円周上に３箇所ずつ配置されている。即ち、レンズユニット１〜３は、各フォロア及びカム溝を介して円筒部材４に係合する。
【００３２】
円筒部材４の内周側には、直進規制部材７が配置されている。円筒部材４は、直進規制部材７の外周面に沿って回転される。直進規制部材７により、レンズユニット１、レンズユニット２、レンズユニット３が直進方向の回転（光軸方向に移動する際の回転）を規制されている。
【００３３】
円筒部材４及びレンズユニット１の外周側には、第３円筒部材５が配置されている。更に、第３円筒部材５の外周側には、第２円筒部材６が配置されている。第２円筒部材６は、円筒部材４の外周側に配置されており、回転に伴い円筒部材４を光軸方向に移動させるための部材である。円筒部材４と第３円筒部材５とは、バヨネット状に結合されており、第２円筒部材６の回転に伴い光軸方向において前後に移動する。
【００３４】
第２円筒部材６の外周側には、固定環１０が配置されている。更に、固定環１０の外周側には、駆動環９が配置されている。更に、駆動環９の外周側には、カバー環１１が配置されている。ズームモータ駆動部２９の駆動により駆動環９が回転し、駆動環９の回転により第２円筒部材６が回転力を受け、固定環１０内のカム溝（不図示）に追従して光軸方向において前後に移動する。
【００３５】
第２円筒部材６の光軸方向の後部には、第２円筒部材６と一体で光軸方向に移動する固定部材８がバヨネット状に結合されている。固定部材８は、レンズユニット３のレンズ被保持部３ａを保持するレンズ保持部８ａを備えている。固定部材８は、レンズ鏡筒の広角側撮影状態（図１）、即ち、レンズユニット３が円筒部材４に対し光軸方向で所定の位置関係まで移動した状態（後方へ飛び出した状態）において、レンズユニット３を保持可能である。
【００３６】
固定部材８は、レンズ鏡筒の広角側撮影状態において、レンズユニット３の外周部のフォロア３ｂが円筒部材４の内周部のカム溝４ｂから脱落しないようにレンズユニット３を保持する。また、固定部材８は、固定環１０により回転が規制されている。また、固定部材８は、直進規制部材７と第３円筒部材５の直進方向の回転（光軸方向に移動する際の回転）を規制する。
【００３７】
レンズ鏡筒の広角側撮影状態（図１）は、レンズユニット２は円筒部材４に対して光軸方向の前方へ移動し、レンズユニット３は円筒部材４に対して光軸方向の後方へ移動した状態である。ここで、レンズユニット３は円筒部材４に対して光軸方向の後方（図１の右方向）へほぼ飛び出した状態になっている。
【００３８】
レンズ鏡筒に外部から衝撃が加わった場合は、モーメントの作用によりレンズユニット３のフォロア３ｂが円筒部材４のカム溝４ｂ（図４）から脱落しようとする力が働く。この場合は、レンズユニット３の後部に配置されているレンズ被保持部３ａ（フォロアの近傍）を固定部材８のレンズ保持部８ａにより保持することで、レンズユニット３が円筒部材４から脱落することを防止するようになっている。
【００３９】
レンズユニット３の光軸方向の後部には、図５に示すように３つのレンズ被保持部３ａが周方向に１２０度間隔で均等に配置されている。更に、レンズユニット３に配置されたレンズ被保持部３ａの光軸方向の後方には、図１に示すように固定部材８に一体に設けられたレンズ保持部８ａが周方向に１２０度間隔で均等に配置されている。
【００４０】
図１のレンズ鏡筒の広角側撮影状態は最も広角の場合を示しているが、レンズユニット３が円筒部材４に対して右方向に飛び出している状態であり、重心が右方向に偏っている。そのため、レンズ鏡筒に外部から衝撃が加わると、レンズユニット３のフォロア３ｂが円筒部材４のカム溝４ｂから脱落しようとする力が働く。そこで、レンズユニット３のフォロア３ｂが円筒部材４のカム溝４ｂから脱落しきらない位置で、レンズユニット３のレンズ被保持部３ａを固定部材８のレンズ保持部８ａにより保持する。これにより、レンズ鏡筒に外部から衝撃が加わった場合などにレンズ鏡筒の損傷や破壊を防止することができる。
【００４１】
また、レンズユニット３のフォロア３ｂが強度的に弱い場合は、フォロア３ｂが弾性破壊する前に（弾性領域の範囲（弾性破壊を起こさない範囲）において）、レンズユニット３のレンズ被保持部３ａを固定部材８のレンズ保持部８ａにより保持する。これにより、レンズ鏡筒に外部から衝撃が加わった場合などにレンズ鏡筒の損傷や破壊を防止することができる。
【００４２】
レンズ鏡筒が図２の非使用状態や図３の遠側撮影状態にある時は、図１の広角側撮影状態のようにレンズユニット３が円筒部材４に対して光軸方向へ飛び出し重心が偏った状態ではない。従って、外部からの衝撃が加わったとしても大きなモーメントが発生しないため、レンズユニット３が円筒部材４から脱落することはない。
【００４３】
そこで、レンズユニット３が円筒部材４に対し右方向に飛び出している状態、つまり図１の広角側撮影状態（レンズ鏡筒の画角が最も広い位置）で、レンズユニット３と固定部材８が近づくように配置する。これにより、レンズ鏡筒が図１〜図３のいずれの状態でもレンズユニット３が円筒部材４から脱落することはなくなる。
【００４４】
次に、撮像装置の電源投入後の処理について図１２に基づき説明する。
【００４５】
図１２は、撮影装置の電源投入後の撮影時のシーケンスを示すフローチャートである。
【００４６】
図１２において、使用者が撮像装置の電源切換ボタン１５を操作し電源をＯＮにすると（ステップＳ１）、ＣＰＵ４６は、ズームモータ駆動部２９によりズームモータ（鏡筒駆動モータ）をＣＷ（時計回り）方向に回転させる（ステップＳ２）。その後、ＣＰＵ４６は、鏡筒駆動モータの所定の動作を行い、レンズ鏡筒が撮影位置に移動したことが確認できたら停止させる（ステップＳ３）。このとき、レンズ鏡筒は図６の状態から図７の状態に変化する。
【００４７】
次に、使用者がレリーズボタン１３をＯＮに操作すると（ステップＳ４）、ＣＰＵ４６は、測光部により測光を開始し、撮影対象の被写体の輝度情報を得る（ステップＳ５）。ＣＰＵ４６は、得られた輝度情報が既定の輝度よりも高い高輝度か否かを判断する（ステップＳ６）。輝度情報が既定の輝度よりも高い高輝度の場合、ＣＰＵ４６は、絞り駆動部３５により絞り３４を光軸内に挿入させ、入射光量を変化させる（ステップＳ７）。輝度情報が既定の輝度よりも低い低輝度の場合、絞り３４は挿入動作は行わずに光軸より退避した状態にしておく。
【００４８】
次に、ＣＰＵ４６は、フォーカス駆動部３１によりフォーカス機構３０を作動させて被写体のピントが合う位置へ移動させ（ステップＳ８）、その位置で被写体の画像の取り込みを開始する（ステップＳ９）。次に、ＣＰＵ４６は、シャッタ駆動部３２によりシャッタ３３を作動させて開状態から閉状態に設定し（ステップＳ１０）、入射光量を遮り、画像の取り込みを終了する（ステップＳ１１）。
【００４９】
その後、ＣＰＵ４６は、絞り駆動部３５により絞り３４を光軸から退避させ（ステップＳ１２）、フォーカス駆動部３１によりフォーカス機構３０を初期位置に移動させ（ステップＳ１３）、本処理を終了する。
【００５０】
以上説明したように、本実施の形態によれば以下の作用及び効果を奏する。レンズ鏡筒の広角側撮影状態において、即ち、レンズユニット３のフォロア３ｂが円筒部材４のカム溝４ｂから脱落しきらない範囲において、固定部材８のレンズ保持部８ａによりレンズユニット３のレンズ被保持部３ａを保持可能である。
【００５１】
これにより、レンズ鏡筒に外部から衝撃が加わった場合などに、レンズユニット３のフォロア３ｂが円筒部材４のカム溝４ｂから脱落することを防止できるため、レンズ鏡筒の損傷や破壊を防止することができる。
【００５２】
また、固定部材８は直進規制部材７と第３円筒部材５の直進方向の回転を規制する機能も兼ねているため、専用の部品を使用せずにレンズ鏡筒の損傷や破壊を防止することができる。
【００５３】
〔他の実施の形態〕
上記実施の形態では、撮像装置としてデジタルカメラを例に挙げたが、デジタルカメラへの適用に限定されるものではない。本発明は、レンズ鏡筒が装着されるデジタルカメラ、フィルムカメラの何れにも適用可能である。
【図面の簡単な説明】
【００５４】
【図１】本発明の実施の形態に係るレンズ鏡筒の広角側撮影状態を示す断面図である。
【図２】レンズ鏡筒の非使用状態を示す断面図である。
【図３】レンズ鏡筒の遠側撮影状態を示す断面図である。
【図４】レンズ鏡筒の構成を示す分解斜視図である。
【図５】レンズ鏡筒を構成するレンズユニットと固定部材の構成を示す斜視図である。
【図６】撮影装置の電源をＯＦＦにした状態を示す斜視図である。
【図７】撮影装置の電源をＯＮにした状態を示す斜視図である。
【図８】撮影装置の上面図である。
【図９】撮影装置の背面図である。
【図１０】撮影装置の底面図である。
【図１１】撮影装置の要部の構成を示すブロック図である。
【図１２】撮影装置の電源投入後の撮影時のシーケンスを示すフローチャートである。
【符号の説明】
【００５５】
１、２、３  レンズユニット
３ａ  レンズ被保持部
３ｂ  フォロア
４  円筒部材
４ｂ  カム溝
５  第３円筒部材
６  第２円筒部材
７  直進規制部材
８  固定部材
８ａ  レンズ保持部
【図１】
0005274058.tif 000002
【図２】
0005274058.tif 000003
【図３】
0005274058.tif 000004
【図４】
0005274058.tif 000005
【図５】
0005274058.tif 000006
【図６】
0005274058.tif 000007
【図７】
0005274058.tif 000008
【図８】
0005274058.tif 000009
【図９】
0005274058.tif 000010
【図１０】
0005274058.tif 000011
【図１１】
0005274058.tif 000012
【図１２】
0005274058.tif 000013